(57)【要約】【課題】  板部に還流孔を設けることにより、ディスク状の記録媒体の中央部に発生する負圧を解消すると共に、還流孔を通過する気流による回転の不均一を防止する記録媒体駆動装置を提供する。【解決手段】  モータの回転軸に固着されたテーブル２に対向する板部５に形成された嵌合孔５１に遊嵌され、テーブル２との間でディスク状の記録媒体３を挾持するクランパ４と、クランパ４を覆うように板部５の一面に固着してあるクランパカバー６とを備える記録媒体駆動装置において、板部５は、記録媒体３の周縁部より外側に位置する還流孔５３を備え、クランパカバー６は、クランパ４及び還流孔５３を覆う形状である。【選択図】        図２
2005339699.tif 000002
【特許請求の範囲】
【請求項１】
モータの回転軸に固着されたテーブルに対向する板部に形成された嵌合孔に遊嵌され、前記テーブルとの間でディスク状の記録媒体を挾持するクランパと、該クランパを覆うように前記板部の一面に固着してあるクランパカバーとを備える記録媒体駆動装置において、
前記板部は、前記記録媒体の周縁部より外側に位置する空気を還流させる還流孔を備え、前記クランパカバーは、前記クランパ及び前記還流孔を覆う形状であることを特徴とする記録媒体駆動装置。
【請求項２】
前記板部は、前記嵌合孔を形成する部分が他の部分より前記テーブル側に位置する形状であることを特徴とする請求項１記載の記録媒体駆動装置。
【請求項３】
前記板部は、前記嵌合孔を形成する部分に前記一面側に突出したクランパカバー支持部を備え、該クランパカバー支持部は前記クランパカバーに固着してあることを特徴とする請求項１記載の記録媒体駆動装置。
【発明の詳細な説明】
【技術分野】
【０００１】
本発明は、ディスク状の記録媒体を用いてデータの記録若しくは再生、又は記録及び再生をする記録媒体駆動装置に関する。
【背景技術】
【０００２】
近年、光ディスクの駆動装置、例えば、ＣＤ−ＲＯＭ(Compact Disc-Read Only Memory)ドライブ装置、ＤＶＤ(Digital Versatile Disc)ドライブ装置は、データの読み出し速度を高めるべく、ディスク状の記録媒体を高速で回転する。斯かる光ディスク等の記録媒体を駆動する記録媒体駆動装置は、モータの回転軸に固着されたテーブルと、テーブルに対向した板部の嵌合孔に遊嵌されたクランパとの間に記録媒体を挾持し、モータの回転により記録媒体を回転させる。
【０００３】
モータの回転により記録媒体が高速で回転した場合、記録媒体の表面付近の空気は、記録媒体の回転方向へ流れ、記録媒体の外縁部より外側へ排出される。これにより、記録媒体の中央部に負圧が発生し、発生した負圧の作用により記録媒体に揚力が生じて板部方向へと引き付けられ、回転しているモータの回転軸に負担がかかるという問題が生じていた。
【０００４】
上述した問題を解決すべく、従来は、板部に孔、スリット又は切欠きを設け、発生した負圧の作用により孔、スリット又は切欠きから空気を取り込むことで負圧を解消する記録媒体駆動装置が開示されている（例えば、特許文献１参照。）。
【特許文献１】特開２００３−１９６９０４号公報
【発明の開示】
【発明が解決しようとする課題】
【０００５】
特許文献１に開示された記録媒体駆動装置は、板部に孔、スリット又は切欠きを設けている。板部は、記録媒体をテーブルから取り外す場合に、テーブルとクランパとの挾持力を超える力をクランパに加えてクランパをテーブルから引き離す手段でもあるから、孔、スリット又は切欠きを設けることに起因する強度低下を避けるために板部の肉厚を増す等の対策が必要になり、コストをさらに上昇させるという問題があった。
【０００６】
また、特許文献１に開示された記録媒体駆動装置は、板部に形成する孔、スリット又は切欠きを、板部のディスク状の記録媒体と重なり合う部分に設けてあり、孔、スリット又は切欠きを通過する気流の速度によっては記録媒体の周縁部のみが持ち上げられ、回転の不均一による騒音発生の一因となるという問題があった。
【０００７】
本発明は斯かる事情に鑑みてなされたものであり、板部に還流孔を設けることにより、ディスク状の記録媒体の中央部に発生する負圧を解消すると共に、還流孔を通過する気流による回転の不均一を防止する記録媒体駆動装置を提供することを目的とする。
【０００８】
また本発明は、板部にクランパカバーを固着した状態で板部の厚さを薄くすることにより、装置全体の薄型化・コンパクト化を図ることができる記録媒体駆動装置を提供することを目的とする。
【課題を解決するための手段】
【０００９】
上記目的を達成するために本発明に係る記録媒体駆動装置は、モータの回転軸に固着されたテーブルに対向する板部に形成された嵌合孔に遊嵌され、前記テーブルとの間でディスク状の記録媒体を挾持するクランパと、該クランパを覆うように前記板部の一面に固着してあるクランパカバーとを備える記録媒体駆動装置において、前記板部は、前記記録媒体の周縁部より外側に位置する還流孔を備え、前記クランパカバーは、前記クランパ及び前記還流孔を覆う形状であることを特徴とする。
【００１０】
本発明においては、モータの回転によりディスク状の記録媒体が回転し、記録媒体の回転の作用により記録媒体の表面付近の空気が回転方向へ流れる。記録媒体の回転方向へ流れた空気は、記録媒体の外縁部より外側に流出し、記録媒体の中央部が負圧になる。この負圧の作用により、板部に設けてある記録媒体の外縁部より外側に位置する還流孔から、回転により流出した空気が循環して取り込まれて記録媒体の中央部に供給され、記録媒体の中央部に発生した負圧が解消する。
【００１１】
本発明に係る記録媒体駆動装置においては、前記板部は、前記嵌合孔を形成する部分が他の部分より前記テーブル側に位置する形状であることを特徴とする。
【００１２】
本発明においては、嵌合孔を形成する部分がテーブル側へ窪んだ形状であることから、板部の一面側に突出した部分が存在せず、クランパカバーを固着した状態で板部の厚さが増大することがなく、装置全体の薄型化・コンパクト化が容易となる。
【００１３】
本発明に係る記録媒体駆動装置においては、前記板部は、前記嵌合孔を形成する部分に前記一面側に突出したクランパカバー支持部を備え、該クランパカバー支持部は前記クランパカバーに固着してあることを特徴とする。
【００１４】
本発明においては、板部に嵌合孔を形成する周縁部分に一面側に突出したクランパカバー支持部を備えており、板部の他面側であってディスク上の記録媒体と重なり合う部分については平面形状とすることができる。これにより、ディスク状の記録媒体の回転による記録媒体の外縁部より流出する空気の流れがスムーズになり、発生する負圧の不均一が生じにくいことから騒音が発生しにくい。
【発明の効果】
【００１５】
本発明に係る記録媒体駆動装置によれば、板部のディスク状の記録媒体と重なり合わない部分、すなわちディスク状の記録媒体の外縁部より外側の部分に還流孔を設けていることから、ディスク状の記録媒体の回転により生じる気流を還流孔からディスク状の記録媒体の中心近傍へ戻すことができ、回転に伴って発生する負圧を解消してモータへの負担を軽減することが可能となる。
【００１６】
また、本発明に係る記録媒体駆動装置によれば、嵌合孔を形成する部分がテーブル側へ窪んだ形状であることから、板部の一面側に突出した部分が存在せず、クランパカバーを固着した状態で板部の厚さが増大することがなく、装置全体の薄型化・コンパクト化が容易となる。
【００１７】
また、本発明に係る記録媒体駆動装置によれば、板部の他面側はフラットな形状であることから、ディスク状の記録媒体の回転による記録媒体の外縁部より流出する空気の流れがスムーズになり、回転の不均一が生じにくいことから騒音が発生しにくい。
【発明を実施するための最良の形態】
【００１８】
（実施の形態１）
以下、本発明をその実施の形態１を示す図面に基づいて詳述する。図１は本発明の実施の形態１に係る記録媒体駆動装置の分解斜視図であり、図２は本発明の実施の形態１に係る記録媒体駆動装置の要部断面図である。
【００１９】
図において、７は、本発明の実施の形態１に係る記録媒体駆動装置の本体であり、本体７の内部にスピンドルモータ１が配設されている。スピンドルモータ１の回転軸１０の端部に、円盤状をなすターンテーブル２が固着してあり、ターンテーブル２は、スピンドルモータ１の回転に連動して回転する。
【００２０】
ターンテーブル２の中央部には、短円柱状をなす嵌合凸部２０が設けられ、嵌合凸部２０の外径は、ＣＤ−ＲＯＭ又はＤＶＤ等のディスク状をなす記録媒体３の中央部に形成された略円形をなす嵌合孔３０の内径に対応している。また嵌合凸部２０には、磁性体２１が埋設されている。
【００２１】
ターンテーブル２には、円盤状をなすクランパ４がターンテーブル２と略平行になるように固着される。クランパ４のターンテーブル２側と対向する面の中央部には、嵌合凸部２０に対応した嵌合凹部４０が形成され、クランパ４の外周面には、鍔状の係止部４２がクランパ４の他面側に設けられている。また、クランパ４の他面側には、ヨークと呼ばれる被磁着体４１が固定してある。被磁着４１は略円形状の鉄板である。
【００２２】
また、ターンテーブル２には、本実施の形態１に係る記録媒体駆動装置の筐体の一部を構成する板部５が配されている。板部５には、外面から内面側へ凹んだ収容部５０が、クランパ４に対応する位置となるよう構成してあり、収容部５０の内径はクランパ４の係止部４２の外径より大きくなるよう構成してある。
【００２３】
収容部５０の底面には、クランパ４の外周面の直径より大きく、クランパ４の係止部４２の外径より小さい嵌合孔５１が形成してあり、嵌合孔５１には、クランパ４が遊嵌される。すなわち、クランパ４が記録媒体３を挾持する場合、クランパ４の外周面と嵌合孔５１の周縁部との間に適宜の隙間ができ、しかもクランパ４の係止部４２と収容部５０の底面との間にも適宜の隙間ができるよう構成してあり、クランパ４と板部５とは非接触状態となる。
【００２４】
収容部５０は、図２に示すように、板部５の外面に接着されたクランパカバー６により覆われており、クランパカバー６は、クランパ４の嵌合孔５１からの脱落を防止するとともに、記録媒体３、スピンドルモータ１等への埃、塵等の進入を未然に防止する。
【００２５】
板部５は、記録媒体３と重なり合わない部分に、筐体内の空気の循環を可能とする還流孔５３を設けている。還流孔５３の形状は特に限定されるものではなく、円形、楕円形、方形等、筐体内で空気の循環を可能とする形状であれば何でも良い。
【００２６】
以上の構成により、記録媒体３の嵌合孔３０内にターンテーブル２の嵌合凸部２０が嵌合するように記録媒体３の一面をターンテーブル２に当接し、ターンテーブル２の嵌合凸部２０とクランパ４の嵌合凹部４０とを嵌め合わせるようクランパ４を記録媒体３に当接することで、磁性体２１の磁力により被磁着体４１が磁着され、ターンテーブル２及びクランパ４の間に記録媒体３が挾持される。
【００２７】
このように挾持された記録媒体３は、スピンドルモータ１の回転に連動して回転する。記録媒体３が高速で回転した場合、記録媒体３の表面付近の空気が回転方向に流れ、記録媒体３の中央部の空気が外縁部より外側に排出され、記録媒体３の中央部に負圧が発生する。
【００２８】
記録媒体３の中央部に発生した負圧の作用により、板部５に設けてある還流孔５３から、記録媒体３の回転により排出された空気が再度取り込まれ、取り込まれた空気は、嵌合孔５１とクランパ４との間を通過して記録媒体３の中央部に供給される。したがって、外部から新たに空気を取り入れることなく、記録媒体３の中央部に発生した負圧を解消することが可能となる。
【００２９】
本実施の形態１に係る記録媒体駆動装置は、板部５に還流孔５３を設けているが、記録媒体３と重なり合う部分に還流孔５３を設けていないことから、空気の循環により記録媒体３の周縁部に偏った揚力が生じることがなく、記録媒体３の中央部に発生する負圧を確実に解消してスピンドルモータ１に負担をかけないようにすることができる。
【００３０】
以上のように本発明の実施の形態１によれば、板部のディスク状の記録媒体と重なり合わない部分、すなわちディスク状の記録媒体の外縁部より外側の部分に還流孔を設けていることから、ディスク状の記録媒体の回転により生じる気流を還流孔からディスク状の記録媒体の中心近傍へ戻すことができ、回転に伴って発生する負圧を解消してモータへの負担を軽減することが可能となる。
【００３１】
また、嵌合孔を形成する部分がテーブル側へ窪んだ形状であることから、クランパカバーを固着した状態で板部の厚さが増大することがなく、装置全体の薄型化・コンパクト化が容易となる。
【００３２】
（実施の形態２）
以下、本発明をその実施の形態１を示す図面に基づいて詳述する。図３は本発明の実施の形態２に係る記録媒体駆動装置の要部断面図である。分解斜視図は実施の形態１と同様であることから、同一の符号を付することで詳細な説明は省略する。
【００３３】
ターンテーブル２には、本実施の形態２に係る記録媒体駆動装置の筐体の一部を構成する板部５が配されている。板部５には、内面から外面側へ突出するクランパカバー支持部５４が、クランパ４及び筐体内部の空気を循環させるために設けてある還流孔５３を囲む位置に構成してある。
【００３４】
板部５の底面には、クランパ４の外周面の直径より大きく、クランパ４の係止部４２の外径より小さい嵌合孔５１が形成してあり、嵌合孔５１には、クランパ４が遊嵌される。すなわち、クランパ４が記録媒体３を挾持する場合、クランパ４の外周面と嵌合孔５１の周縁部との間に適宜の隙間ができ、しかもクランパ４の係止部４２と板部５の底面との間にも適宜の隙間ができるよう構成してあり、クランパ４と板部５とは非接触状態となる。
【００３５】
クランパ４及び還流孔５３は、板部５の外面に接着されたクランパカバー６により覆われており、クランパカバー６は、クランパ４の嵌合孔５１からの脱落を防止するとともに、記録媒体３、スピンドルモータ１等への埃、塵等の進入を未然に防止する。
【００３６】
以上の構成により、記録媒体３の嵌合孔３０内にターンテーブル２の嵌合凸部２０が嵌合するように記録媒体３の一面をターンテーブル２に当接し、ターンテーブル２の嵌合凸部２０とクランパ４の嵌合凹部４０とを嵌め合わせるようクランパ４を記録媒体３に当接することで、磁性体２１の磁力により被磁着体４１が磁着され、ターンテーブル２及びクランパ４の間に記録媒体３が挾持される。
【００３７】
このように挾持された記録媒体３は、スピンドルモータ１の回転に連動して回転する。記録媒体３が高速で回転した場合、記録媒体３の表面付近の空気が回転方向に流れ、記録媒体３の中央部の空気が外縁部より外側に排出され、記録媒体３の中央部に負圧が発生する。
【００３８】
記録媒体３の中央部に発生した負圧の作用により、板部５に設けてある還流孔５３から、記録媒体３の回転により排出された空気が再度取り込まれ、取り込まれた空気は、嵌合孔５１とクランパ４との間を通過して記録媒体３の中央部に供給される。したがって、外部から新たに空気を取り入れることなく、記録媒体３の中央部に発生した負圧を解消することが可能となる。
【００３９】
本実施の形態２に係る記録媒体駆動装置は、板部５に還流孔５３を設けているが、記録媒体３と重なり合う部分に還流孔５３を設けていないことから、実施の形態１と同様、空気の循環により記録媒体３の周縁部に偏った揚力が生じることがなく、記録媒体３の中央部に発生する負圧を確実に解消してスピンドルモータ１に負担をかけないようにすることができる。
【００４０】
また、板部５の記録媒体３と対向する側の面に凹凸形状が存在しないことから、記録媒体３の回転により生じる記録媒体３の表面付近の空気の流れが均一であり、記録媒体３の中央部の空気が外縁部より外側に排出されることにより発生する負圧も均一となる。したがって、偏った負圧の発生による回転の不均一を未然に防止することができ、騒音の発生を抑制することが可能となる。
【００４１】
以上のように本発明の実施の形態２によれば、板部の記録媒体と対向する側がフラットな形状であることから、ディスク状の記録媒体の回転による記録媒体の外縁部より流出する空気の流れがスムーズになり、回転の不均一が生じにくく、騒音が発生しにくいという効果を奏する。
【００４２】
上述した実施の形態１及び２に係る記録媒体駆動装置の効果を確認すべく、記録媒体の回転数と記録媒体の浮上量との関係を、従来の記録媒体駆動装置、実施の形態１に係る記録媒体駆動装置、実施の形態２に係る記録媒体駆動装置のそれぞれについて測定した。図４は、記録媒体の回転数と記録媒体の浮上量との関係を示す図である。
【００４３】
図４において、丸（○）印は従来の記録媒体駆動装置の、四角（□）印は実施の形態１に係る記録媒体駆動装置の、三角（△）印は実施の形態２に係る記録媒体駆動装置の、それぞれ記録媒体の回転数と記録媒体の浮上量との関係を示している。図４からも明らかなように、記録媒体の回転数が２８００ｒｐｍを超えた場合、従来の記録媒体駆動装置の浮上量と比較して、実施の形態１に係る記録媒体駆動装置の浮上量、及び実施の形態２に係る記録媒体駆動装置の浮上量は極端に小さく、負圧による記録媒体の浮上を効果的に抑制することが確認できる。
【００４４】
なお、本発明に係る記録媒体駆動装置は、前述した実施の形態１及び２に示した構成に限定されるものではなく、本発明の趣旨に逸脱しない範囲にて一部の構成を追加、削除又は変更してもよい。
【００４５】
例えば、還流孔５３の個数は１つに限定されるものではなく、クランパカバー６で覆うことができる位置であり、しかも記録媒体３と重なり合うことがない位置であれば、板部５のどこに設けても良い。
【図面の簡単な説明】
【００４６】
【図１】本発明の実施の形態１に係る記録媒体駆動装置の分解斜視図である。
【図２】本発明の実施の形態１に係る記録媒体駆動装置の要部断面図である。
【図３】本発明の実施の形態２に係る記録媒体駆動装置の要部断面図である。
【図４】記録媒体の回転数と記録媒体の浮上量との関係を示す図である。
【符号の説明】
【００４７】
１  スピンドルモータ（モータ）
２  ターンテーブル（テーブル）
３  記録媒体
４  クランパ
５  板部
６  クランパカバー
１０  回転軸
５１  嵌合孔
５２  凸部
５３  還流孔
５４  クランパカバー支持部
【図１】
2005339699.tif 000003
【図２】
2005339699.tif 000004
【図３】
2005339699.tif 000005
【図４】
2005339699.tif 000006